(57)【要約】【課題】偏光素子の設置枚数を増やすことなく、多用途な検眼装置を提供する。【解決手段】複数のディスクに保持された光学素子を検査窓に切り換え配置して被検眼の屈折力を自覚的に検査する検眼装置であって、偏光素子を回転可能に保持する補助ディスクと、補助レンズディスクに保持された偏光素子を回転する駆動手段と、検査窓に偏光素子を複数の所定の偏光方向で配置するためのそれぞれの回転情報を記憶する記憶手段と、検査窓に配置される偏光素子の偏光方向を所定の方向に切換える信号を出力する切換信号出力手段と、切換信号と記憶手段に記憶された回転情報とに基づいて駆動手段を制御する制御手段と、を備える。【選択図】      図３
2004229999.tif 000002
【特許請求の範囲】
【請求項１】
複数のディスクに保持された光学素子を検査窓に切り換え配置して被検眼の屈折力を自覚的に検査する検眼装置であって、偏光素子を回転可能に保持する補助ディスクと、該補助レンズディスクに保持された前記偏光素子を回転する駆動手段と、検査窓に前記偏光素子を複数の所定の偏光方向で配置するためのそれぞれの回転情報を記憶する記憶手段と、前記検査窓に配置される前記偏光素子の偏光方向を所定の方向に切換える信号を出力する切換信号出力手段と、該切換信号と前記記憶手段に記憶された回転情報とに基づいて前記駆動手段を制御する制御手段と、を備えることを特徴とする検眼装置。
【請求項２】
請求項１の検眼装置は、さらに検査窓に配置する前記偏光素子の偏光方向を任意の方向に変更するため信号を入力する変更信号入力手段と、該変更信号に基づいて前記記憶手段に記憶された回転情報を補正する補正手段と、を備えることを特徴とする検眼装置。
【請求項３】
請求項１の検眼装置において、前記記憶手段に記憶されている前記回転情報は被検眼に呈示する検査視標から発せられる所定方向の偏光光束に対して少なくとも同じ偏光角度を持たせるための回転情報，及び前記偏光光束に対して直角となる偏光角度を持たせるための回転情報であることを特徴とする検眼装置。
【請求項４】
請求項１の検眼装置は所定方向の偏光光束を発する視力検査視標を呈示する視標呈示装置と用いられる検眼装置であり、前記記憶手段に記憶されている回転情報は、前記偏光素子を通過する前記視力検査視標を複数の所定のコントラスト比にするための情報であることを特徴とする検眼装置。
【請求項５】
請求項４の検眼装置は、検査窓に前記偏光素子が配置された場合に、前記視標呈示装置の視標呈示画面の照明輝度を変更する照明輝度変更手段を備えることを特徴とする検眼装置。
【請求項６】
複数のディスクに保持された光学素子を検査窓に切り換え配置して被検眼の屈折力を自覚的に検査する検眼装置であって、偏光素子を回転可能に保持する補助ディスクと、該補助レンズディスクに保持された前記偏光素子を回転する駆動手段と、検査窓に配置された前記偏光素子の偏光角度を９０°切り換えるための信号を発するための偏光角度切換手段と、該偏光角度切換手段からの切換信号に基づいて前記偏光素子の偏光角度を９０°切り換えるために前記駆動手段を制御する制御手段と、を備えることを特徴とする検眼装置。
【発明の詳細な説明】
【０００１】
【発明の属する技術分野】
本発明は、被検眼の屈折力等を自覚的に測定する自覚式検眼装置に関する。
【０００２】
【従来技術】
左右一対のレンズ室ユニット内に種々の光学素子（球面レンズ、円柱レンズ、プリズムや偏光素子等の補助レンズ）が配置された複数の回転ディスクをそれぞれ設け、各回転ディスクを回転させることによって任意の光学素子を検査窓に切換え配置する自覚式検眼装置が知られている。この種の検眼装置では、球面度数や乱視度数の検査の他、４５度と１３５度の偏光光束を発する視標を呈示すると共に、検査窓にその視標の偏光方向に対応した偏光素子（偏光板）を左右の検査窓にそれぞれ配置することにより、立体視や斜位等の両眼視機能の検査を行っている（特許文献１参照）。また、レンズ室ユニットや呈示視標装置に傾きがあった場合に、検査窓に配置する偏光素子の角度を検査視標の偏光方向に合わせて調整可能とするために、偏光素子を回転可能に制御する装置も提案されている（特許文献２参照）。
【特許文献１】
特開平０８−１６４１１２号公報
【特許文献２】
特開２００１−３４６７６２号公報
【０００３】
【発明が解決しようとする課題】
しかし、従来の検眼装置においては、回転ディスクに保持される偏光素子の偏光方向はそれぞれ一つの角度に固定されていた。このため、例えば、左右に配置する偏光素子の偏光方向を入れ替えた両眼視機能検査を行おうとしたり、別の偏光方向を持つ検査視標に対応しようとすると、それぞれに対応した偏光方向を持つ偏光素子を回転ディスクに加える必要があり、コスト高となったり、設計上の制約が多くなることとなる。また、従来、偏光素子を使用した検査は立体視検査や斜位検査、両眼バランス検査等の両眼視機能検査であるが、これら以外にもコントラスト検査等の視機能を検査ができることが望まれている。
【０００４】
また、特許文献２においても、あくまで呈示視標の偏光方向に合わせて偏光素子の偏光方向を一つの角度に合わせるものであり、検査時に種々の検査に合わせて偏光素子の偏光方向を変えることはできなかった。
【０００５】
本発明は、上記従来技術の問題点に鑑み、偏光素子の設置枚数を増やすことなく、多用途な検眼装置を提供することを技術課題とする。
【０００６】
【課題を解決するための手段】
上記課題を解決するために、本発明は以下のような構成を備えることを特徴とする。
【０００７】
（１）  複数のディスクに保持された光学素子を検査窓に切り換え配置して被検眼の屈折力を自覚的に検査する検眼装置であって、偏光素子を回転可能に保持する補助ディスクと、該補助レンズディスクに保持された前記偏光素子を回転する駆動手段と、検査窓に前記偏光素子を複数の所定の偏光方向で配置するためのそれぞれの回転情報を記憶する記憶手段と、前記検査窓に配置される前記偏光素子の偏光方向を所定の方向に切換える信号を出力する切換信号出力手段と、該切換信号と前記記憶手段に記憶された回転情報とに基づいて前記駆動手段を制御する制御手段と、を備えることを特徴とする。
（２）  （１）の検眼装置は、さらに検査窓に配置する前記偏光素子の偏光方向を任意の方向に変更するため信号を入力する変更信号入力手段と、該変更信号に基づいて前記記憶手段に記憶された回転情報を補正する補正手段と、を備えることを特徴とする。
（３）  （１）の検眼装置において、前記記憶手段に記憶されている前記回転情報は被検眼に呈示する検査視標から発せられる所定方向の偏光光束に対して少なくとも同じ偏光角度を持たせるための回転情報，及び前記偏光光束に対して直角となる偏光角度を持たせるための回転情報であることを特徴とする。
（４）  （１）の検眼装置は所定方向の偏光光束を発する視力検査視標を呈示する視標呈示装置と用いられる検眼装置であり、前記記憶手段に記憶されている回転情報は、前記偏光素子を通過する前記視力検査視標を複数の所定のコントラスト比にするための情報であることを特徴とする。
（５）  （４）の検眼装置は、検査窓に前記偏光素子が配置された場合に、前記視標呈示装置の視標呈示画面の照明輝度を変更する照明輝度変更手段を備えることを特徴とする。
（６）  複数のディスクに保持された光学素子を検査窓に切り換え配置して被検眼の屈折力を自覚的に検査する検眼装置であって、偏光素子を回転可能に保持する補助ディスクと、該補助レンズディスクに保持された前記偏光素子を回転する駆動手段と、検査窓に配置された前記偏光素子の偏光角度を９０°切り換えるための信号を発するための偏光角度切換手段と、該偏光角度切換手段からの切換信号に基づいて前記偏光素子の偏光角度を９０°切り換えるために前記駆動手段を制御する制御手段と、を備えることを特徴とする。
【０００８】
【発明の実施の形態】
以下、本発明の実施の形態を図面に基づいて説明する。図１は本発明に係る検眼装置を用いた検眼システム全体を示した概略図である。
【０００９】
１は検眼装置本体であり、検眼装置本体１は左右対称な一対のレンズ室ユニット２と、この左右のレンズ室ユニット２を吊下げ支持する移動ユニット３と、を備える。
【００１０】
また、検眼装置本体１はテーブル１０に設けられている支持アーム４によってテーブル１０の上方に支持されている。１１はテーブルを上下動させるための上下動スイッチであり、このスイッチ１１を用いることによって、図示無き駆動手段によりテーブル１０の天板の高さ位置を調節するとともに、検眼装置本体１の高さを調節することができる。１２はテーブル１０に内蔵されているリレーユニットであり、検眼装置本体１や検眼システム全体の駆動制御を行うコントローラ５、検査視標を呈示する視標呈示装置２０等が接続される。
【００１１】
また、左右のレンズ室ユニット２には、検査窓２ａが設けられているとともに、内部には、種々の多数の光学素子（レンズ等）を同一円周上に配置したレンズディスクが回転可能に設けられている。レンズディスクはコントローラ５の操作により各々回転駆動され、検査窓２ａに種々の光学素子を配置する。なお、レンズ室ユニット内部の詳細は後述する。
【００１２】
２０は検眼装置本体１から所定距離だけ離れた位置に置かれ、遠用検査時に用いられる視標呈示装置である（図１では内部の概略構成を示している）。視標呈示装置２０は、装置内部に種々の検査視標を提示する視標呈示手段２１、ビームスプリッタ２２、凹面ミラー２３等を備える。視標呈示手段２１は、被検者の視力や視機能を検査するための各種の視標チャートを切り換え配置する視標切換手段２１ａや、視標切換手段２１ａにて所定位置に配置された視標チャートを照明するランプからなる照明手段２１ｂを有している（図４参照）。視標チャートには、ランドルト環視標、乱視検査用視標や両眼視機能検査用視標等が用意されている。
【００１３】
両眼視機能検査用の視標チャートとしては、図５（ａ）に示すような立体視視標や、図５（ｂ）に示すような十字斜位視標がある。立体視視標は、呈示画面中央に位置する固視点視標２０１と、この固視点視標２０１を中心として上下左右方向に形成される４組の立体視標２０２〜２０５とからなっている。立体視標２０２は２つの縦線視標２０２ａ，２０２ｂからなり、縦線視標２０２ａは被検者側から見て水平方向に対して偏光方向が４５°となるように偏光フィルタが取り付けられ、縦線視標２０２ｂは水平方向に対して偏光方向が１３５°となるように偏光フィルタが取り付けられている。また、同様に立体視標２０３〜２０５においても、縦線視標２０３ａ，２０４ａ，２０５ａは偏光方向が４５°、縦線視標２０３ｂ，２０４ｂ，２０５ｂは偏光方向が１３５°になるように偏光フィルタが取り付けられている。なお、２つの縦線視標（視標２０２ａ〜２０５ａ及び視標２０２ｂ〜２０５ｂ）のピッチ（形成間隔）は各立体視標２０２〜２０５に応じて異なっており、縦線視標２０２ａ，２０２ｂは１０′、縦線視標２０３ａ，２０３ｂは１０′４０″、縦線視標２０４ａ，２０４ｂは１１′４０″、縦線視標２０５ａ，２０５ｂは１３′４０″の立体視角をもつようにピッチを取っている。
【００１４】
また、十字斜位視標は縦線視標２００ａと、横線視標２００ｂとからなり、縦線視標２００ａは水平方向に対して偏光方向が４５°となるように偏光フィルタが取り付けられ、横線視標２００ｂは水平方向に対して偏光方向が１３５°となるように偏光フィルタが取り付けられている。なお、十字斜位視標及び立体視視標はともに視標部分のみ偏光光束が透過し、視標以外の部分は遮光されている。
【００１５】
これら各種の視標の呈示は、コントローラ５に設けられたスイッチ群５２の操作によって視標呈示手段２１を駆動させることによって行われる。視標呈示手段２１の照明手段２１ｂにより照明された検査視標の光束は、ビームスプリッタ２２を透過した後、凹面ミラー２３で反射される。凹面ミラー２３で反射した視標光束は、ビームスプリッタ２２で反射され、窓２４を介して被検眼Ｅに向かう。
【００１６】
図２は、左眼測定用のレンズ室ユニット２を上側から見た部分断面図である。Ｌは測定光軸である。レンズ室ユニット２の筐体６には７枚のディスク３１〜３７が軸４０を回転中心にして配置されており、各ディスクには同一円周上に開口と複数の光学素子が設けられている。各ディスクの外周にはギヤが形成されており、それぞれパルスモータ３８ａ〜３８ｇにて光軸Ｌに配置する光学素子の切換えが行われる。なお、図２において、４１ａは検者側の検査窓２ａに配置された保護ガラス、４１ｂは被検眼Ｅ側の検査窓２ａに配置された保護ガラスを示す。
【００１７】
ディスク３１，３２、３３は度数の異なる各種の球面レンズを保持する。また、ディスク３４は分散プリズム、ピンホール、マドックスレンズ、緑フィルタ（右眼用は赤フィルタ）、偏光板（偏光素子）等の第１補助レンズ１００や遮蔽板を保持する。なお、第１補助レンズ１００のうち、分散プリズム、マドックスレンズ、偏光板は、光軸Ｌを中心にそれぞれ回転可能に設けられている。
また、ディスク３５、３６は度数の異なる各種の円柱レンズ１１０，１２０を保持する。円柱レンズ１１０及び１２０は、光軸Ｌを中心にそれぞれ回転可能に設けられている。
【００１８】
ディスク３７は第２補助レンズ１３０を保持するものであり、ロータリプリズム、＋１０Ｄの球面レンズ、−１０Ｄの球面レンズ、±０．２５Ｄのオートクロスシリンダレンズ、眼幅調整用のマークが付された素通しレンズ等が設けられている。この第２補助レンズ１３０のうち、ロータリプリズム、オートクロスシリンダレンズは光軸Ｌを中心に回転可能に設けられている。
【００１９】
図３はディスク３４、３５、３６、３７に設けられた各光学素子の回転機構を説明する図である。ディスク３４に保持される第１補助レンズ１００のうち、分散プリズム、マドックスレンズ、偏光板は、歯車を持つホルダ１０１により光軸Ｌを中心に回転可能にディスク３４に取り付けられている。ホルダ１０１の歯車は、軸４０を中心に回転する太陽歯車１０２と共に噛み合っており、太陽歯車１０２に連結した歯車１０３、中間歯車１０４を介してパルスモータ１４０ｂの回転が第１補助レンズ１００に伝達される。また、１０５は反射型のフォトインタラプタである。フォトインタラプタ１０５は、中間歯車１０４に設けられた反射板１０５ａにて反射する光束を受光することにより、中間歯車１０４の基準位置を検出することができる。なお、基準位置に中間歯車１０４があるとき（フォトインタラプタ１０５にて検出信号の出力が得られる状態のとき）、第１補助レンズ１００の一つである偏光板は、初期状態としてはその偏光角度が検者側（被検者と向き合う側）から見て水平方向に対して４５°（右側測定用のレンズ室ユニット２では１３５°）になるように設定されている。また、中間歯車１０４が１回転すると偏光板が２回転するようなギア比となっている。このような構成により、パルスモータ１４０ｂの駆動量に基づく偏光板（第１補助レンズ１００）の偏光角度（回転角度）の変化量を演算することができる。
また、本実施の形態では反射型のフォトインタラプタにて第１補助レンズの回転角度を検出、演算するものとしているが、これに限るものではなく、透過型のフォトインタラプタやアブソリュートエンコーダ等の回転角度検出手段を用いることもできる。
【００２０】
ディスク３５、３６、３７に保持される円柱レンズ１１０，１２０及び第２補助レンズ（ロータリプリズム、オートクロスシリンダレンズ）もまた、歯車を持つホルダにより光軸Ｌを中心に回転可能に各ディスクに取り付けられている。これらのレンズもディスク３４の第１補助レンズの回転機構と同様に、軸４０を中心に回転する各太陽歯車、中間歯車等を介してパルスモータ１４０ａ，１４０ｃ，１４０ｄに各々連結され、パルスモータの回転が円柱レンズ１１０，１２０及び第２補助レンズ１３０に伝達される。なお、各ディスク３５、３６、３７に連結する中間歯車にも図示なき反射型のフォトインタラプタが設けられているとともに、各光学素子は中間歯車の基準位置に対して所定の回転角度となるように設定されているため、各光学素子の回転角度を検出、演算することができるようになっている。なお、各ディスク３１〜３７にも図示なきフォトインタラプタ等からなる回転角度検出手段が設けられており、この回転角度検出手段の検出信号に基づいて、各光学素子を検査窓２ａに適宜配置することができる。
【００２１】
図４は検眼システム全体の制御系を示したブロック図である。
コントローラ５は、各種の制御を行うマイクロコンピュータ等からなる制御部５０、検査用プログラムやその他の処理を行うためのプログラムが記憶されたメモリ５１、複数のスイッチが設けられたスイッチ群５２、各種の情報を表示する表示画面５３等を備えている。なお、スイッチ群５２は、各種のプログラムの選択及び実行や、検眼装置本体１、視力呈示装置２０等を駆動させるためスイッチ、呈示させる視標を選択するための複数の視標スイッチ、測定値の変更や数値入力のときに使用するダイヤルスイッチ、初期状態を変更するためのスイッチ等を備える。
【００２２】
コントローラ５は図示なきインターフェイスを介してリレーユニット１２に接続されており、リレーユニット１２に接続されている他の各種装置を駆動制御するための通信を行う。また、リレーユニット１２に接続されている検眼装置本体１及び視標呈示装置２０には、各種の制御を行うマイクロコンピュータ等からなる制御部７０，６０をそれぞれ備えている。制御部６０及び制御部７０は、コントローラ５からの制御信号を基に各装置を駆動制御する。また、７１はメモリであり、各種光学素子の回転角度を変更するための制御情報等が複数記憶されている。
【００２３】
次に、以上のような検眼装置を用いた自覚的検査について説明する。ここでは偏光板を用いた立体視検査について説明する。
検者はコントローラ５のスイッチ群５２中の図示なき立体視標が描かれた視標スイッチを押し、立体視検査のプログラムを実行させる。立体視検査のプログラムが実行されると、視標呈示装置２０の制御部６０は、コントローラ５からの制御信号を受けて視標切換手段２１ａを用いて照明手段２１ｂの照明光路内に図５（ａ）に示した立体視視標を配置し、検査窓２ａから覗く被検眼Ｅに検査視標を呈示する。
【００２４】
また、検眼装置本体１側では立体視検査のプログラムが実行されると、制御部７０は左右の検査窓２ａに所定の偏光角度を持たせた偏光板を配置する。本実施の形態では、立体視検査のプログラムが実行されると最初の検査では左眼用の検査窓２ａに配置される偏光板の偏光角度を４５°、右眼用の検査窓２ａに配置される偏光板の偏光角度を１３５°とするように初期設定がされている。
【００２５】
制御部７０は検査窓２ａに偏光板を所定の偏光角度にて配置するために、メモリ７１に記憶されている複数の回転情報から該当する回転情報を取り出す。取り出した回転情報は、選択された偏光角度の情報（ここでは左側４５°、右側１３５°）や、選択された偏光角度にて偏光板を配置するための制御情報を有している。制御部７０はこの回転情報を基にコントローラ５の表示画面５３に現在選択されている偏光板の回転角度（偏光角度）を表示させるとともに、パルスモータ３８ｄ及びパルスモータ１４０ｂを適宜駆動させてディスク３４及び中間歯車１０４を回転させる。
【００２６】
制御部７０はフォトインタラプタ１０５を用いて中間歯車１０４を前述した基準位置とすることによって左側の偏光板の偏光角度を４５°、右側の偏光板の偏光角度を１３５°に合わせる。また同時に、制御部７０は被検者に適正な視力が得られるように他のディスクを適宜回転させ、左右の検査窓２ａに所定の屈折力等を持った光学部材を配置する。このような所定の屈折力等を持った光学部材の選択は、レフラクトメータによる被検眼の他覚値のデータ、及び予めこの他覚値データに基づいて行われた自覚的な検査結果等から適宜決定される。
【００２７】
左眼用の検査窓２ａには水平方向に対して偏光角度が４５°の偏光板が、右眼用の検査窓２ａには偏光角度が１３５°の偏光板が各々配置される。被検者が左右の検査窓２ａに配置された偏光板を介して前方に呈示されている図５（ａ）の視標を見ると、右眼には固視点視標２０１と縦線視標２０２ａ〜２０５ａとが見え、左眼には固視点視標２０１と縦線視標２０２ｂ〜２０５ｂとが見えることとなる。このような状態で両眼視を行うと、縦線視標２０２ａ〜２０５ａ及び２０２ｂ〜２０５ｂは融像されることにより、固視点視標２０１を基準として立体視標２０２〜２０５が浮き上がって見えることとなる。なお、立体視標２０２〜２０５を形成する各縦線視標２０２ａ〜２０５ａ及び２０２ｂ〜２０５ｂのピッチが視標毎に異なるため、立体視標２０２から紙面右回りにて（立体視標２０３→２０４→２０５）段階的に視標が浮き上がって見えることとなる。検者は被検者に各立体視標の浮き上がり状態等を尋ね、立体視検査を行う。
【００２８】
次に、検者はさらに詳しく立体視検査を行うために、固視点視標２０１を基準として立体視標２０２から紙面右回りに（立体視標２０３→２０４→２０５）段階的に縦線視標が沈み込んで見えるようにする。スイッチ群５２の立体視標が描かれたスイッチを再度押し、左右の検査窓２ａに配置された偏光板の偏光角度を９０°だけ変更（左１３５°、右４５°）し、左右の偏光角度を反対にする。スイッチ群５２の立体視標が描かれたスイッチが再度押されると、制御部５０は検眼装置１の制御部７０に対し、左右の検査窓２ａに配置された偏光板の偏光角度を各々９０°だけ切り換える旨の信号を送る（言い換えると左眼用の検査窓２ａに配置された偏光板の偏光角度を１３５°に、右眼用の検査窓２ａに配置された偏光板の偏光角度を４５°に切り換える旨の信号を送る）。
【００２９】
制御部７０は信号を受け取ると、メモリ７１から左眼側の偏光板の偏光角度を１３５°、右眼側の偏光板の偏光角度を４５°とするための回転情報を取り出し、選択された偏光角度を表示画面５３に表示する。また、制御部７０は回転情報を基に中間歯車１０４を基準位置から所定量回転させ、左眼側の偏光板の偏光角度を１３５°に、右眼側の偏光板の偏光角度を４５°とする。
【００３０】
このような状態で両眼視を行うと、固視点視標２０１を基準として立体視標２０２から右回りにて段階的に立体視標が沈み込んで見えることとなる。検者は被検者に視標の沈み込み状態等を尋ね、立体視検査を行う。
また、斜位検査においても図５（ｂ）に示す十字斜位視標を視標呈示装置２０にて呈示させておき、検査窓２ａに所定の偏光角度を持った偏光板を配置して検査を行った後、前述同様に左右の偏光板の偏光角度を反対にして検査を行うこともできる。
【００３１】
さらに、本実施形態では偏光角度を４５°と１３５°の２種類としているが、これに限るものではない。例えば、視標呈示装置によっては、両眼視機能検査用の視標に９０°と１８０°の偏光方向を持たせたものがある。このような視標呈示装置に対応するため、メモリ７１に偏光角度４５°、９０°、１３５°、１８０°に切り換えるための回転情報を予め記憶させておき、視標呈示装置が持つ両眼視機能検査用の視標の偏光方向に合わせて検眼装置本体１側の偏光板の偏光角度を適宜選択（偏光角度４５°，１３５°、或いは９０°，１８０°）することもできる。偏光角度の選択はコントローラ５のスイッチ群５２を用いて行えばよい。また、このような回転情報の記憶はメモリ７１ではなく、コントローラ５のメモリ５１に記憶させるようにしても良い。
【００３２】
このように、左右眼各々に対して１枚の偏光板を用いてその偏光角度を適宜変更することができるため、偏光板の枚数を増やすことなく複数の検査や装置に対応することができる。
【００３３】
さらにまた、本実施形態では、偏光板の偏光角度を予め複数記憶させておくものとしているが、これに限るものではない。例えば、コントローラ５のスイッチ群５２の図示なきダイヤルスイッチを用いて偏光板の偏光角度を任意に変更することも可能である。このように偏光板の偏光角度を任意に変更する場合は、各装置の設置状態や偏光板等のズレにより、初期設定において偏光板の偏光角度と視標光の偏光方向とが直角（又は平行）とならない場合に特に有効である。
【００３４】
検者はコントローラ５のスイッチ群５２のスイッチを用いて所定の偏光方向の光束を発する視標を視標呈示装置２０に呈示させた後、コントローラ５のスイッチ群５２のスイッチを用いて、一方の検査窓２ａを遮蔽し、もう一方の検査窓２ａに配置された偏光板の偏光角度を任意に調整できるモードに設定する。検者は時計回り或いは反時計回りにダイヤルスイッチを回転させる。ダイヤルスイッチを１クリック回転させると、制御部７０はパルスモータ１４０ｂを駆動させ、中間歯車１０４を所定の回転角度（例えば１°）だけ回転させる。検者は一方の検査窓２ａから視標を見ながら、ダイヤルスイッチを用いて偏光板の偏光角度を徐々に変え、偏光板を通して見えるべき視標が最も鮮明に見える状態にする。最も鮮明に見える状態が得られたら、検者はコントローラ５のスイッチ群５２から図示なき決定スイッチを用いて、このときの状態をメモリ７１に記憶させる。決定スイッチが押されると制御部７０は、初期状態における偏光板の偏光角度からの変更量（回転量）を演算し、その結果を回転情報の補正情報としてメモリ７１に記憶する。一方の偏光角度の補正が終了したら、同様の操作を行い、もう一方の偏光角度の補正も行う。以後の偏光板を用いる検査においては、予め記憶されていた回転情報とこの補正情報とに基づいて制御部７０により偏光板の位置制御が行われる。
【００３５】
また、以上の実施形態では両眼視機能検査を中心に説明したが、本発明を用いてコントラスト検査を行うこともできる。以下では第２の実施形態としてコントラスト検査の説明を行う。
図６は視力呈示装置２０の視標切換手段２１に用意されるコントラスト検査用の視標チャートを示した図である。
【００３６】
コントラスト検査用視標は、図示するように例えばランドルト環視標３００ａ〜３００ｄからなっており、検者側から見て水平方向に対して偏光方向が４５°となるような偏光フィルタをランドルト環視標の形状に形成したものがチャートに取り付けられている。また視標以外のチャート面３０１は、偏光フィルタが取り付けられておらず、照明光がそのまま透過できるようになっている。
また、図４に示す検眼装置本体１側のメモリ７１には、検査窓２ａに配置する偏光板の回転情報として、偏光角度が４５°を初めとして６０°、７５°…１３５°まで１５°ずつ異なった回転情報が予め記憶されている。
【００３７】
コントラスト検査を行う場合には、検者は図４に示すコントローラ５のスイッチ群５２中の図示なきコントラスト視標が描かれた視標スイッチを押し、コントラスト検査のプログラムを実行する。立体視検査のプログラムが実行されると、検眼装置本体１側の制御部７０は、パルスモータ３８ａ〜３８ｇ、及びパルスモータ１４０ａ〜１４０ｄを適宜駆動させ、左右の検査窓２ａのうち一方の検査窓２ａを遮蔽し、もう一方の検査窓２ａに被検者側から見て水平方向に対して４５°の偏光角度を持たせた偏光板、及び所定の屈折力等を持った光学部材を配置する。
【００３８】
また、図４に示す視標呈示装置２０側の制御部６０は、コントローラ５からの制御信号を受けると、視標切換手段２１ａを用いて照明手段２１ｂの照明光路内に図６に示したコントラスト視標を配置し、検査窓２ａから覗く被検眼Ｅに検査視標を呈示する。このとき制御部６０は、偏光板を通して見える視標以外のチャート面３０１上の照明光量が、偏光板を用いない通常の視力検査時と同程度の照明光量となるように、照明手段２１ｂを用いて照明光量を上げておく。偏光板を通して視標を見ると、偏光板によって被検眼に入射する照明光量が減衰してしまうが、このように偏光板の配置に合わせて照明光量を上げることにより、通常の視力検査と同じような条件で視標が見えることとなる。
【００３９】
このように配置された偏光板を通して前方の視標を見ると、ランドルト環視標３００ａ〜３００ｄからの光束が完全に遮光されているため、ランドルト環視標３００ａ〜３００ｄが黒く見えることとなる。このような状態で、検者は被検者の視力を検査する。
【００４０】
次に、検者はコントローラ５のスイッチ群５２の図示なき変更スイッチを用いて偏光板の偏光角度を１段階（ここでは偏光角度１２０°）変化させる。変更スイッチが押されると、制御部５０から制御部７０へ偏光角度を１２０°に切り換える旨の信号が発せられる。制御部７０はこの切り換え信号を受け、メモリ７１から偏光角度１２０°の回転情報を取り出し、この情報に基づいてパルスモータ１４０ｂを駆動させて、偏光板の偏光角度を１２０°に変更する。偏光板の偏光角度が１２０°になると、ランドルト環視標３００ａ〜３００ｄの偏光光束が若干透過することとなるため、その分、視標のコントラストが弱くなることとなる。このようにして、検者は変更スイッチを使用しながら視標とその周囲とのコントラスト比を適宜変化させ、被検者のコントラストテストを行うことができる。また、偏光板の偏光角度が４５°及び１３５°とするための回転情報が記憶されているため、この情報を用いて前述した両眼視機能検査を行うことができることは言うまでもない。なお、メモリに記憶させておく回転情報は４５°〜１３５°に限らず、０°〜１８０°の範囲で所定のコントラスト比が得られるような偏光板の偏光角度を適宜決定しておけばよい。
【００４１】
【発明の効果】
以上のように、本発明によれば、光学素子の設置枚数を増やすことなく多機能を有した検眼装置を提供することができる。
【図面の簡単な説明】
【図１】本発明に係る検眼装置を用いた検眼システム全体を示した図である。
【図２】左眼測定用のレンズ室ユニットを上側から見た状態を示した部分断面図である。
【図３】各光学素子の回転機構を示した図である。
【図４】検眼システム全体の制御系を示したブロック図である。
【図５】両眼視機能検査用の視標チャートを示した図である。
【図６】コントラスト検査用の視標チャートを示した図である。
【符号の説明】
１  検眼装置本体
２  レンズ室ユニット
５  コントローラ
３１〜３７  ディスク
３８ａ〜３８ｇ  パルスモータ
５０  制御部
５２  スイッチ群
７０  制御部
７１  メモリ
１００  第１補助レンズ
１０１  ホルダ
１０２  太陽歯車
１０４  中間歯車
１０５  フォトインタラプタ
１４０ａ〜１４０ｄ  パルスモータ
【図１】
2004229999.tif 000003
【図２】
2004229999.tif 000004
【図３】
2004229999.tif 000005
【図４】
2004229999.tif 000006
【図５】
2004229999.tif 000007
【図６】
2004229999.tif 000008